(57)【要約】【課題】履物を履いた状態での足への快適性を向上させることができる履物用送風装置を提供すること。【解決手段】履物用送風装置１によれば、電池３からモータ４に付与された駆動電力によってモータ４の駆動軸４ａが回転駆動され羽根車５が回転するので、羽根車５によって空気が送風される。また、本体２は、収容部２ａの収容空間Ａがノズル部２ａによって外部へ連通されているので、羽根車５によって送風された空気がノズル部２ｂから収容部２の外部へ排気される。更に、ノズル部２ｂは、薄型で、収容部２ａよりもコンパクトに構成されているので、靴Ｓと足との間にノズル部２ｂを挟入することができ、靴Ｓを履いた状態でも使用することができる。従って、羽根車５によって送風された空気をノズル部２ｂから靴Ｓと足との間へ排気することができるので、靴Ｓ内を除湿および乾燥するに加え足を冷却することができる。【選択図】図1
2008035974.tif 000002
【特許請求の範囲】
【請求項１】
駆動軸を有するモータと、
そのモータの駆動軸に軸支される羽根車と、
前記モータに駆動電力を付与する電池と、
それらモータ、羽根車および電池を収容する収容部と、その収容部から延設され、前記収容部の収容空間を外部へ連通するノズル部とを有する本体とを備え、
その本体のノズル部の厚み寸法は、そのノズル部の幅寸法よりも小さい寸法で形成されると共に、前記収容部の厚み寸法よりも小さい寸法で形成され、
前記ノズル部を履物と足との間に挟入して使用することを特徴とする履物用送風装置。
【請求項２】
前記モータと前記電池とを電気的に接続する回路上に介設され、所定時間経過後に前記モータと前記電池との電気的な接続を遮断するタイマースイッチを備えていることを特徴とする請求項１記載の履物用送風装置。
【請求項３】
前記羽根車が前記収容部内に収容された状態において、
前記収容部は、前記羽根車と前記ノズル部との間に薬剤を保持するための保持部を備えていることを特徴とする請求項１又は２に記載の履物用送風装置。
【請求項４】
前記ノズル部は、前記収容部に沿って延設され、その収容部と所定間隔を隔てて対向して設けられていることを特徴とする請求項１から３のいずれかに記載の履物用送風装置。
【請求項５】
前記ノズル部の長さ寸法は、前記収容部の長さ寸法よりも短く形成されていることを特徴とする請求項４記載の履物用送風装置。
【請求項６】
前記ノズル部の先端は、前記収容部から離間する方向へ向かって傾斜する傾斜面を備え、
その傾斜面は、前記収容部と対向して形成されていることを特徴とする請求項４又は５に記載の履物用送風装置。
【発明の詳細な説明】
【技術分野】
【０００１】
本発明は、履物用送風装置に関し、特に、履物を履いた状態での足への快適性を向上させることができる履物用送風装置に関するものである。
【背景技術】
【０００２】
靴を乾燥させる技術として、例えば、特開平２−２４１４２７号公報には、送風ファン１３からの送風を送風パイプ２２によって靴内に導いて靴を乾燥させる靴乾燥機が開示されている。
【特許文献１】特開平２−２４１４２７号公報
【発明の開示】
【発明が解決しようとする課題】
【０００３】
しかしながら、上述した靴乾燥機は、濡れた状態の靴を乾燥させるためのものであり、靴を履く際の足への快適性は向上するが、靴を履いた状態での足への快適性を向上させるものではなかった。
【０００４】
本発明は、足への快適性を向上させる新たな手法を提供するためになされたものであり、履物を履いた状態での足への快適性を向上させることができる履物用送風装置を提供することを目的としている。
【課題を解決するための手段】
【０００５】
この目的を解決するために請求項１記載の履物用送風装置は、駆動軸を有するモータと、そのモータの駆動軸に軸支される羽根車と、前記モータに駆動電力を付与する電池と、それらモータ、羽根車および電池を収容する収容部と、その収容部から延設され、前記収容部の収容空間を外部へ連通するノズル部とを有する本体とを備え、その本体のノズル部の厚み寸法は、そのノズル部の幅寸法よりも小さい寸法で形成されると共に、前記収容部の厚み寸法よりも小さい寸法で形成され、前記ノズル部を履物と足との間に挟入して使用する。
【０００６】
請求項２記載の履物用送風装置は、請求項１記載の履物用送風装置において、前記モータと前記電池とを電気的に接続する回路上に介設され、所定時間経過後に前記モータと前記電池との電気的な接続を遮断するタイマースイッチを備えている。
【０００７】
請求項３記載の履物用送風装置は、請求項１又は２に記載の履物用送風装置において、前記羽根車が前記収容部内に収容された状態において、前記収容部は、前記羽根車と前記ノズル部との間に薬剤を保持するための保持部を備えている。
【０００８】
請求項４記載の履物用送風装置は、請求項１から３のいずれかに記載の履物用送風装置において、前記ノズル部は、前記収容部に沿って延設され、その収容部と所定間隔を隔てて対向して設けられている。
【０００９】
請求項５記載の履物用送風装置は、請求項４記載の履物用送風装置において、前記ノズル部の長さ寸法は、前記収容部の長さ寸法よりも短く形成されている。
【００１０】
請求項６記載の履物用送風装置は、請求項４又は５に記載の履物用送風装置において、前記ノズル部の先端は、前記収容部から離間する方向へ向かって傾斜する傾斜面を備え、その傾斜面は、前記収容部と対向して形成されている。
【発明の効果】
【００１１】
請求項１記載の履物用送風装置によれば、モータは、電池から駆動電力が付与され、その付与された駆動電力によって駆動軸が回転駆動される。また、羽根車は、モータの駆動軸に軸支され、その駆動軸の回転によって回転する。即ち、電池からモータに付与された駆動電力によってモータの駆動軸が回転駆動され、その回転駆動された駆動軸の回転によって羽根車が回転するので、羽根車によって空気が送風される。
【００１２】
また、本体は、モータ、羽根車および電池を収容する収容部の収容空間がノズル部によって外部へ連通されているので、羽根車によって送風された空気がノズル部から収容部の外部へ排出される。
【００１３】
また、ノズル部の厚み寸法は、そのノズル部の幅寸法よりも小さい寸法で形成されると共に、収容部の厚み寸法よりも小さい寸法で形成されている。これにより、ノズル部は、薄型で、収容部よりもコンパクトに構成される。よって、例えば、靴等の履物と足との間にノズル部を挟入することができ、履物を履いた状態でも使用することができる。
【００１４】
従って、羽根車によって送風された空気をノズル部から履物と足との間へ排気することができるので、履物内を除湿および乾燥するに加え足を冷却することができる。よって、履物を履いた状態での足への快適性を向上させることができるという効果がある。
【００１５】
請求項２記載の履物用送風装置によれば、請求項１記載の履物用送風装置の奏する効果に加え、モータと電池とを電気的に接続する回路上に介設され、所定時間経過後にモータと電池との電気的な接続を遮断するタイマースイッチを備えているので、電池からモータへ付与される駆動電力の供給を所定時間後に自動で停止させることができる。よって、電池とモータとの電気的な接続を遮断するための遮断操作を使用者が自ら行う必要がないので、使用者による煩雑な操作を不要として、利便性の向上を図ることができるという効果がある。また、使用者が遮断操作を行い忘れた場合でも、電池の浪費を防止することができるので、ランニングコストの低減を図ることができるという効果がある。
【００１６】
請求項３記載の履物用送風装置によれば、請求項１又は２に記載の履物用送風装置の奏する効果に加え、羽根車が収容部内に収容された状態において、収容部は、羽根車とノズル部との間に薬剤を保持するための保持部を備えているので、羽根車からノズル部までの空気の流通経路上に薬剤を配置することができる。従って、羽根車によって送風される空気と共に薬剤の効能を履物内に排気することができるので、履物内において薬剤の効能を得ることができるという効果がある。
【００１７】
請求項４記載の履物用送風装置によれば、請求項１から３のいずれかに記載の履物用送風装置の奏する効果に加え、ノズル部は、収容部に沿って延設され、その収容部と所定間隔を隔てて対向して設けられているので、ノズル部と収容部との対向間に履物の側壁等を挿入することにより、ノズル部を履物に引っ掛けることができる。よって、履物への保持性が向上するので、履物からの脱落を防止することができるという効果がある。また、ノズル部を履物に引っ掛けることができるので、履物と足とによってノズル部を固定する必要がなく、歩行時の違和感を軽減させることができるという効果がある。
【００１８】
請求項５記載の履物用送風装置によれば、請求項４記載の履物用送風装置の奏する効果に加え、ノズル部の長さ寸法は、収容部の長さ寸法よりも短く形成されているので、ノズル部を履物の側壁に引っ掛けた場合でも、ノズル部の先端が履物の中底に干渉することがないので、履物への保持性を向上させることができるという効果がある。
【００１９】
請求項６記載の履物用送風装置によれば、請求項４又は５に記載の履物用送風装置の奏する効果に加え、ノズル部の先端は、収容部から離間する方向へ向かって傾斜する傾斜面を備え、その傾斜面は、収容部と対向して形成されているので、ノズル部を履物に引っ掛ける際に、ノズル部と収容部との対向間への履物の挿入を傾斜面によってガイドすることができ、履物への取付性を向上させることができるという効果がある。
【発明を実施するための最良の形態】
【００２０】
以下、本発明の好ましい実施形態について、添付図面を参照して説明する。図１（ａ）から図１（ｄ）は、本発明の第１実施形態における履物用送風装置１の概観図であり、図（ａ）は履物用送風装置１の正面図を、図１（ｂ）は履物用送風装置１の背面図を、図１（ｃ）は履物用送風装置１の上面図を、図１（ｄ）は履物用送風装置１の側面図を、それぞれ示している。また、図１（ｅ）は、図１（ａ）のＩｅ−Ｉｅ線における履物用送風装置１の断面図である。
【００２１】
まず、図１を参照して、履物用送風装置１の詳細構成について説明する。履物用送風装置１は、靴Ｓ（図３参照）等の履物内に空気を送風するための装置であり、本体２と、その本体２に収容される電池３、モータ４、羽根車５及び消臭剤６とを主に備えて構成されている。本体２は、履物用送風装置１の骨格をなす部材であり、ポリプロピレン等の合成樹脂から構成されると共に、収容部２ａと、その収容部２ａの最上部から延設されるノズル部２ｂとを備えて構成されている。
【００２２】
収容部２ａは、電池３、モータ４、羽根車５及び消臭剤６等を収容するための部位であり、収容空間Ａを有する中空状体に構成され、図１（ａ）及び図１（ｂ）に示すように、本体２の正面視および背面視において、下部側（図１（ａ）下側、図１（ｂ）下側）の幅寸法が上部側（図１（ａ）上側、図１（ｂ）上側）の幅寸法よりも広く略台形状に形成されると共に、図１（ｄ）に示すように、本体２の側面視において、最下部が正面側（図１（ｄ）左側）へ隆起して、下部側（図１（ｄ）下側）の厚み寸法が上部側（図１（ｄ）上側）の厚み寸法よりも厚く形成されている。また、図１（ａ）に示すように、収容部２ａの正面側における高さ方向（図１（ａ）上下方向）略中央部には、吸入口２ａ１が設けられている。吸入口２ａ１は、後述するように羽根車５によって空気を送風する場合に、羽根車５によって送風する空気を収容部２ａ内に吸い込むための部位であり、収容部２ａの収容空間Ａを外部へ連通して、本体２の正面視において矩形状に貫通形成されている。また、図１（ｂ）に示すように、収容部２ａの背面側における高さ方向（図１（ｂ）上下方向）上下２箇所には、電池交換口２ａ２および薬剤交換口２ａ３がそれぞれ設けられている。電池交換口２ａ２は、収容部２ａ内に収容される電池３を交換するための部位であり、本体２の背面視において、電池３の外形よりも大きく矩形状に形成されている。薬剤交換口２ａ３は、収容部２ａ内に収容される消臭剤６を交換するための部位であり、本体２の背面視において、後述する袋体９の外形よりも大きく矩形状に形成されている。なお、電池交換口２ａ２及び薬剤交換口２ａ３には、それら電池交換口２ａ２及び薬剤交換口２ａ３を閉封する蓋部材１１，１２がそれぞれ着脱可能に配設されている。
【００２３】
また、図１（ｅ）に示すように、収容部２ａ内の最上部には、保持部７が設けられている。保持部７は、消臭剤６等の薬剤を保持するための部位であり、一対の保持板７ａを備えて構成されている。一対の保持板７ａは、その略中央部に穿設された貫通孔７ａ１を有する板状体にそれぞれ構成されると共に、収容部２ａ内に羽根車５が収容された状態において、収容部２ａ内における羽根車５とノズル部２ｂとの間に所定距離を隔てて対向して接着剤（図示せず）等によりそれぞれ接着されている。消臭剤６は、一対の保持板７ａ間に収容されることにより、保持部７に保持される。
【００２４】
図１（ａ）及び図１（ｅ）に示すように、収容部２ａ内の最下部には、電池３が収納されている。電池３は、モータ４に駆動電力を付与するものであり、Ｒ６Ｐ形電池（単３形マンガン乾電池）から構成されている。また、図１（ａ）に示すように、電池３は、その両端が、収容部２ａ内にそれぞれ配設された電極板２１とバネ２２とによって挟持されている。電極板２１は、電池３の正極側を支持するためのものであり、金属材料から板状体に構成されている。一方、バネ２２は、電池３の負極側を支持するためのものであり、円錐コイルバネから構成されている。電池３は、バネ２２によって電極板２１側（図１（ａ）左側）へ付勢され、電極板２１とバネ２２とによって挟持されることにより、収容部２ａ内に着脱可能に固定される。なお、電極板２１及びバネ２２には、電池３とモータ４とを電気的に接続するための電線（図示せず）の一端側がそれぞれ接続されている。
【００２５】
上述したように、本実施形態では、電池３がＲ６Ｐ形電池から構成されているので、モータ４に付与する駆動電力が低下した場合には、本体２の収容部２ａに設けられた電池交換口２ａ２から別の電池に交換することができる。よって、電池３をバッテリー等で構成する場合と比較して、装置の小型化、軽量化および低価格化を図ることができる。
【００２６】
図１（ｅ）に示すように、収容部２ａ内における電池３と保持部７との間には、モータ４が収容されている。モータ４は、羽根車５を回転させるものであり、駆動軸４ａを有するＤＣモータから構成され、その駆動軸４ａを保持部７側へ向けて接着剤（図示せず）等により収容部２ａ内に接着固定されている。なお、モータ４には、一端側が電極板２１及びバネ２２にそれぞれ接続された電線の他端側がそれぞれ接続されている。これにより、電線を介して電池３からモータ４に駆動電力が付与され、その付与された駆動電力によって駆動軸４ａが回転駆動される。
【００２７】
電池３とモータ４とを電気的に接続するための電線上には、タイマースイッチ８が介設されている。タイマースイッチ８は、電池３とモータ４との電気的な接続を通電または遮断するためのものであり、オン、オフ及びタイマーオフの状態をそれぞれ切り替え可能なスライドタイプのスイッチから構成され、図１（ｂ）に示すように、本体２の背面側に配設されている。また、タイマースイッチ８は、通電状態にある電池３とモータ４との電気的な接続を所定時間経過後に遮断するための制御回路（図示せず）を備えている。これにより、タイマースイッチ８が使用者によってタイマーオフの状態に切り替えられた場合には、電池３からモータ４へ付与される駆動電力の供給を所定時間経過後に自動で停止させることができる。よって、電池３とモータ４との電気的な接続を遮断するための遮断操作、即ち、タイマースイッチ８をオフの状態に切り替える操作を使用者が自ら行う必要がないので、使用者による煩雑な操作を不要として、利便性の向上を図ることができる。また、使用者が遮断操作を行い忘れた場合、即ち、タイマースイッチ８を切り忘れた場合でも、電池３の浪費を防止することができるので、ランニングコストの低減を図ることができる。なお、本実施形態では、タイマースイッチ８がスライドタイプのスイッチから構成される場合を説明したが、必ずしもこれに限られるものではなく、例えば、回転タイプのスイッチによって構成しても良い。
【００２８】
図１（ａ）及び図１（ｅ）に示すように、モータ４の駆動軸４ａには、羽根車５が軸支されている。羽根車５は、回転することにより空気を送風するものであり、ポリプロピレン等の合成樹脂から構成されている。ここで、図２を参照して、羽根車５の詳細構成について説明する。図２（ａ）は、羽根車５の上面図であり、図２（ｂ）は、羽根車５の側面図である。
【００２９】
図２（ａ）に示すように、羽根車５は、軸部５ａと、その軸部５ａの外周に設けられる複数の羽根５ｂと、その羽根５ｂの外周に設けられる壁部５ｃとを備えて構成されている。軸部５ａは、モータ４の駆動軸４ａに軸支される部位であり、貫通部５ａ１を有する円筒状体に構成されている。貫通部５ａ１は、モータ４の駆動軸４ａが挿入される部位であり、軸部５ａの軸心に沿ってモータ４の駆動軸４ａの軸径よりも小さい直径で軸部５ａに貫通形成されている。なお、上述したように、羽根車５は合成樹脂から構成されているので、貫通部５ａ１が弾性変形することにより、その貫通部５ａ１にモータ４の駆動軸４ａを挿入することができると共に、その挿入された駆動軸４ａを保持することができる。
【００３０】
羽根５ｂは、空気を送風するための部位であり、軸部５ａから放射状に延設されると共に、軸部５ａの軸心方向にねじれを伴って形成されている。壁部５ｃは、羽根５ｂによって送風する空気を軸部５ａの軸心方向へ効率良く導くための部位であり、円筒状体に構成され、軸部５ａの軸心と同心に設けられている。なお、本実施形態では、壁部５ｃを設けて構成される場合を説明したが、必ずしもこれに限られるものではなく、壁部５ｃを省略して構成しても良い。
【００３１】
上述のように構成される羽根車５によれば、軸部５ａがモータ４の駆動軸４ａに軸支されることにより、その回転軸４ａの回転によって回転し、羽根５ｂによって空気を送風する。また、羽根５ｂによって送風される空気は、壁部５ｃによって軸部５ａの軸心方向、即ち、モータ４の駆動軸４ａの軸心方向へ導かれる。上述したように、モータ４は、その駆動軸４ａを保持部７側へ向けているので、羽根５ｂによって送風される空気は、保持部７の保持板７ａに穿設された貫通孔７ａ１を流通して、ノズル部２ｂ側へ送風される。
【００３２】
図１に戻って、消臭剤６について説明する。図１（ａ）及び図１（ｅ）に示すように、収容部２ａ内の保持部７には、消臭剤６が収容されている。消臭剤６は、不快な臭いを化学的に分解して除去または抑制するためのものであり、化学物質から粒状体に構成され、網目状に形成された袋体９内に収容されている。また、消臭剤６は、消臭効果が低下した場合には、本体２の収容部２ａに設けられた薬剤交換口２ａ３から別の消臭剤に交換することができる。よって、装置のコストパフォーマンスを向上させることができる。なお、本実施形態では、袋体９が網目状に形成される場合を説明したが、必ずしもこれに限られるものではなく、例えば、格子状に形成しても良い。
【００３３】
本体２のノズル部２ｂは、収容部２ａの収容空間Ａを外部へ連通するための部位であり、連通路２ｂ１を有する中空状体に構成され、図１（ｃ）及び図１（ｄ）に示すように、収容部２ａの最上部からその収容部２ａの正面側（図１（ｄ）左側）に沿って延設され、収容部２ａと所定間隔を隔てて対向して設けられている。また、ノズル部２ｂは、図１（ｄ）に示すように、本体２の側面視において、収容部２ａの高さ方向（図１（ｄ）上下方向）略中央部まで延設されている。即ち、ノズル部２ｂの長さ寸法は、収容部２ａの長さ寸法よりも短く形成されている。また、ノズル部２ｂは、図１（ａ）に示すように、本体２の正面視において矩形状に形成され、図１（ａ）及び図１（ｄ）に示すように、本体２の側面視における厚み寸法が本体２の正面視における幅寸法よりも小さい寸法で形成されると共に、その厚み寸法が収容部２ａの厚み寸法よりも小さい寸法で形成されている。これにより、ノズル部２ｂは、薄型で、収容部２ａよりもコンパクトに構成される。また、図１（ｄ）及び図１（ｅ）に示すように、ノズル部２ｂの先端には、収容部２ａから離間する方向へ向かって傾斜し、且つ、その収容部２ａと対向して形成される傾斜面２ｂ２が設けられ、その傾斜面２ｂ２には、連通路２ｂ１が外部へ開口される開口部２ｂ３が設けられている。
【００３４】
次に、図３を参照して、履物用送風装置１の使用方法について説明する。図３は、履物用送風装置１の使用方法を説明する説明図であり、図３（ａ）及び図３（ｃ）は、履物用送風装置１を靴Ｓ内に装置した状態を、図３（ｂ）は、履物用送風装置１における本体２のノズル部２ｂを靴Ｓに引っ掛けた状態を、それぞれ示している。なお、図３（ｃ）では、靴Ｓが断面視されていると共に、その靴Ｓの一部が省略して図示されている。
【００３５】
上述のように構成される履物用送風装置１によれば、電池３からモータ４に付与された駆動電力によってモータ４の駆動軸４ａが回転駆動され、その回転駆動された駆動軸４ａの回転によって羽根車５が回転するので、羽根車５によって空気が送風される。また、本体２は、電池３、モータ４及び羽根車５を収容する収容部２ａの収容空間Ａがノズル部２ａによって外部へ連通されているので、羽根車５によって送風された空気がノズル部２ｂから収容部２の外部へ排気される。よって、図３（ａ）に示すように、履物用送風装置１を靴Ｓ内に装置することにより、羽根車５によって送風された空気をノズル部２ｂから靴Ｓ内へ排気することができるので、靴Ｓ内を除湿および乾燥することができる。従って、靴Ｓを履く際の足への快適性を向上させることができる。
【００３６】
更に、本体２のノズル部２ｂは、薄型で、収容部２ａよりもコンパクトに構成されているので、靴Ｓと足との間にノズル部２ｂを挟入することができ、靴Ｓを履いた状態でも使用することができる。従って、羽根車５によって送風された空気をノズル部２ｂから靴Ｓと足との間へ排気することができるので、靴Ｓ内を除湿および乾燥するに加え足を冷却することができる。よって、靴Ｓを履いた状態での足への快適性を向上させることができる。その結果、靴Ｓを長時間履いたままの状態でも、足の蒸れや靴Ｓ内の温度上昇を解消することができると共に、足への水虫の発症を予防することができる。また、ノズル部２ｂを靴Ｓと足との間に挟入することにより、靴Ｓと足とによってノズル部２ｂを固定することができるので、歩行時にも使用することができる。
【００３７】
また、本体２のノズル部２ｂは、収容部２ａに沿って延設され、その収容部２ａと所定間隔を隔てて対向して設けられているので、図３（ｂ）に示すように、ノズル部２ｂと収容部２ａとの対向間に靴Ｓの側壁Ｓｗを挿入することにより、ノズル部２ｂを靴Ｓに引っ掛けることができる。よって、靴Ｓへの保持性が向上するので、靴Ｓからの脱落を防止することができる。また、ノズル部２ｂを靴Ｓに引っ掛けることができるので、靴Ｓと足とによってノズル部２ｂを固定する必要がなく、歩行時の違和感を軽減させることができる。更に、図３（ｃ）に示すように、本体２のノズル部２ｂ側を靴Ｓの中底Ｓｂ側に向けて靴Ｓ内に装置した場合でも、ノズル部２ｂと収容部２ａとの対向間に形成されるスペースにより、羽根車５によって送風された空気を確実にノズル部２ｂから靴Ｓ内に排気することができる。
【００３８】
また、本体２の収容部２ａは、その収容部２ａ内に羽根車５が収容された状態において、収容部２ａ内における羽根車５とノズル部２ｂとの間に薬剤を保持するための保持部７を備えているので、羽根車５からノズル部２ｂまでの空気の流通経路上に、薬剤として消臭剤６を配置することができる。従って、羽根車５によって送風される空気と共に消臭剤６の効能を靴Ｓ内に排気することができるので、靴Ｓ内において消臭剤６の効能を得ることができる。その結果、足の不快な臭いを除去または抑制することができる。なお、本実施形態では、薬剤が消臭剤６によって構成される場合を説明したが、必ずしもこれに限られるものではなく、例えば、芳香を与える芳香剤、臭気を除去する脱臭剤または細菌を除去する除菌剤等の薬剤によって構成しても良い。ここで、例えば、薬剤を芳香剤によって構成する場合には、靴Ｓ内に芳香が与えられるので、使用者の気分をリラックスさせることができる。また、保持部７によって保持される薬剤は、１種類の薬剤のみによって構成される場合に限られず、複数種類の薬剤によって構成しても良い。
【００３９】
また、本体２のノズル部２ｂの長さは、収容部２ａの長さよりも短く形成されているので、ノズル部２ａを靴Ｓの側壁Ｓｗに引っ掛けた場合でも、ノズル部２ｂの先端が靴Ｓの中底Ｓｂに干渉することがないので、靴Ｓへの保持性を向上させることができる。また、ノズル部２ｂの先端は、収容部２ａから離間する方向へ向かって傾斜する傾斜面２ｂ２を備え、その傾斜面２ｂ２は、収容部２ａと対向して形成されているので、ノズル部２ｂを靴Ｓに引っ掛ける際に、ノズル部２ｂと収容部２ａとの対向間への靴Ｓの挿入を傾斜面２ｂ２によってガイドすることができ、靴Ｓへの取付性を向上させることができる。
【００４０】
また、吸入口２ａ１は、収容部２ａの正面側、即ち、ノズル部２ｂと同一側に設けられているので、収容部２ａの背面側に設けられる場合と比較して、図３（ａ）に示すように、履物用送風装置１を靴Ｓ内に装置した場合でも、吸入口２ａ１が靴Ｓの中底Ｓｂによって密封されることがないと共に、図３（ｂ）に示すように、ノズル部２ｂを靴Ｓに引っ掛けた場合でも、吸入口２ａ１からの埃等の進入を抑制することができる。
【００４１】
次に、図４及び図５を参照して、第２実施形態における履物用送風装置２０１について説明する。第１実施形態における履物用送風装置１は、本体２のノズル部２ｂが収容部２ａに沿って延設される場合を説明したが、第２実施形態における履物用送風装置２０１は、本体２０２のノズル部２０２ｂが収容部２０２ａから突出して延設されている。なお、第１実施形態と同一の部分については、同一の符号を付してその説明を省略する。
【００４２】
図４（ａ）は、第２実施形態における履物用送風装置２０１の概観正面図であり、図４（ｂ）は、履物用送風装置２０１の外観側面図であり、図４（ｃ）は、図４（ａ）のＩＶｃ−ＩＶｃ線における履物用送風装置２０１の断面図であり、図４（ｄ）は、図４（ａ）のＩＶｄ−ＩＶｄ線における履物用送風装置２０１の断面図である。また、図５は、履物用送風装置２０１の使用方法を説明する説明図であり、図５（ａ）は、履物用送風装置２０１を靴Ｓ内に装置した状態を、図５（ｂ）は、履物用送風装置２０１における本体２０２のノズル部２０２ｂを靴Ｓに引っ掛けた状態を、それぞれ示している。
【００４３】
まず、図４を参照して、履物用送風装置２０１の詳細構成について説明する。履物用送風装置２０１の本体２０２は、収容部２０２ａと、その収容部２０２ａから突出して延設されるノズル部２０２ｂとを主に備えて構成されている。
【００４４】
収容部２０２ａは、収容空間Ｂを有する中空状体に構成され、両端が閉封された円筒状に形成されると共に、この収容部２０２ａ内には、電池３、モータ４、羽根車５及び消臭剤６等が直列に収容されている。また、図４（ａ）に示すように、収容部２０２ａ内の一端側（図４（ａ）上側）には、保持部７が設けられている。保持部７は、保持板２０７ａを備えて構成されている。保持板２０７ａは、板状体に構成され、収容部２０２ａ内に羽根車５が収容された状態において、収容部２０２ａ内における羽根車５とノズル部２ｂとの間に接着剤（図示せず）等により接着されている。消臭剤６は、保持板２０７ａに支持されることにより、保持部７に保持される。
【００４５】
ノズル部２０２ｂは、連通路２ｂ１を有する中空状体に構成され、図４（ｂ）に示すように、本体２０２の側面視において、収容部２０２ａの外周面に接して延設されている。また、ノズル部２０２ｂは、図４（ａ）に示すように、本体２０２の正面視において、先端側（図４（ａ）左側）の幅寸法が収容部２０２ａ側（図４（ａ）右側）の幅寸法よりも広く略台形状に形成され、図４（ａ）及び図４（ｂ）に示すように、本体２０２の側面視における厚み寸法が本体２０２の正面視における幅寸法よりも小さい寸法で形成されると共に、その厚み寸法が収容部２０２ａの直径よりも小さい寸法で形成されている。これにより、ノズル部２０２ｂは、薄型で、収容部２０２ａよりもコンパクトに構成される。
【００４６】
上述のように構成される履物用送風装置２０１によれば、羽根５ｂによって送風される空気は、収容部２０２ａの一端側（図４（ａ）上側）で折り返し、保持部７の保持板２０７ａに沿って流通して、ノズル部２０２ｂ側へ送風される。よって、図５（ａ）に示すように、履物用送風装置２０１を靴Ｓ内に装置することにより、羽根車５によって送風された空気をノズル部２０２ｂから靴Ｓ内に排気することができるので、靴Ｓ内を除湿および乾燥することができる。従って、靴Ｓを履く際の足への快適性を向上させることができる。
【００４７】
更に、本体２０２のノズル部２０２ｂは、薄型で、収容部２０２ａよりもコンパクトに構成されているので、図５（ｂ）に示すように、靴Ｓと足（図示せず）との間にノズル部２０２ｂを挟入することができ、靴Ｓを履いた状態でも使用することができる。従って、羽根車５によって送風された空気をノズル部２０２ｂから靴Ｓと足との間へ排気することができるので、靴Ｓ内を除湿および乾燥するに加え足を冷却することができる。よって、靴Ｓを履いた状態での足への快適性を向上させることができる。また、ノズル部２０２ｂを靴Ｓと足との間に挟入することにより、靴Ｓと足とによってノズル部２０２ｂを固定することができるので、歩行時にも使用することができる。
【００４８】
以上、実施形態に基づき本発明を説明したが、本発明は上記実施形態に何ら限定されるものではなく、本発明の趣旨を逸脱しない範囲内で種々の改良変更が可能であることは容易に推察できるものである。
【００４９】
例えば、上記第１実施形態では、収容部２ａが本体２の正面視において略台形状に形成される場合を、上記第２実施形態では、収容部２０２ａが円筒状に形成される場合を、それぞれ説明したが、必ずしもこれに限られるものではなく、例えば、略円錐状に形成しても良い。
【００５０】
また、上記第１実施形態では、ノズル部２ｂが本体２の正面視において矩形状に形成される場合を、上記第２実施形態では、ノズル部２０２ｂが本体２０２の正面視において略台形状に形成される場合を、それぞれ説明したが、必ずしもこれに限られるものではなく、例えば、二股形状や三股形状に構成しても良い。
【００５１】
また、上記各実施形態では、タイマースイッチ８が、電池３とモータ４との電気的な接続を所定時間経過後に遮断するための制御回路を備えて構成される場合を説明したが、必ずしもこれに限られるものではなく、制御回路を省略して構成しても良い。この場合には、装置の低価格化を図ることができる。
【００５２】
また、上記第１実施形態では、吸入口２ａ１が収容部２ａの正面側、即ち、ノズル部２ｂと同一側に設けて構成される場合を説明したが、必ずしもこれに限られるものではなく、例えば、収容部２ａの背面側または収容部２ａの側面側に設けて構成しても良い。
【図面の簡単な説明】
【００５３】
【図１】（ａ）から（ｄ）は、第１実施形態における履物用送風装置の外観図であり、（ｅ）は、（ａ）のＩｅ−Ｉｅ線における履物用送風装置の断面図である。
【図２】（ａ）は、羽根車の上面図であり、（ｂ）は、羽根車の側面図である。
【図３】第１実施形態における履物用送風装置の使用方法を説明する説明図である。
【図４】（ａ）及び（ｂ）は、第２実施形態における履物用送風装置の概観図であり、（ｃ）は、（ａ）のＩＶｂ−ＩＶｂ線における履物用送風装置の断面図であり、（ｄ）は、（ａ）のＩＶｂ−ＩＶｂ線における履物用送風装置の断面図である。
【図５】第２実施形態における履物用送風装置の使用方法を説明する説明図である。
【符号の説明】
【００５４】
１，２０１      履物用送風装置
２，２０２      本体
２ａ，２０２ａ  収容部
２ｂ，２０２ｂ  ノズル部
２ｂ２          傾斜面
３              電池
４              モータ
４ａ            駆動軸
５              羽根車
６              消臭剤（薬剤）
７              保持部
８              タイマースイッチ
Ａ，Ｂ          収容空間
【図１】
2008035974.tif 000003
【図２】
2008035974.tif 000004
【図３】
2008035974.tif 000005
【図４】
2008035974.tif 000006
【図５】
2008035974.tif 000007